(57)【要約】【課題】ディスクが装着されてからフォーカスサーボ等がオンとされるまでの時間を従来よりも短縮する。【解決手段】ディスク媒体の信号面が検出されるまでフォーカスは上昇され、信号面が検出された場合、所定の時間が経過した後にフォーカスの上昇を停止する。ここで、レーザがディスクの種類に応じて適宜切り替えられる。この後、フォーカスはディスク媒体の信号面が検出されるまで下降される。信号面が検出された場合、フォーカスサーボ、ＣＬＶサーボ、ＴＲＫサーボ、およびＳＬＥＤサーボがオンとされる。これにより、ディスク媒体の信号面に記録されている信号を読み出すことが可能となる。本発明は、例えば、マルチディスクプレーヤに適用することが可能である。【選択図】　　　図７
2004039094.tif 000002
【特許請求の範囲】
【請求項１】
ディスク媒体に記録されている情報を再生する再生装置において、
前記ディスク媒体にレーザを照射する照射手段と、
前記レーザのフォーカスを制御するフォーカス制御手段と、
前記レーザの前記ディスク媒体からの前記反射光に対応する信号を生成する生成手段と、
前記生成手段によって生成された前記信号に基づき、前記ディスク媒体の信号面を検出する検出手段と、
前記検出手段の検出結果に基づいて、前記ディスク媒体の種類を判別する判別手段と、
前記判別手段の判別結果に対応して、前記照射手段が照射するレーザの種類を切り替える切替手段とを含み、
前記フォーカス制御手段は、前記フォーカスの上昇過程において前記検出手段によって前記ディスク媒体の信号面が検出された後、前記フォーカスを上限まで到達させることなく速やかに下降させ、この下降過程において前記検出手段によって前記ディスク媒体の信号面が検出された後、前記信号面に対するフォーカスサーボを起動する
ことを特徴とする再生装置。
【請求項２】
前記ディスク媒体は、ＤＶＤまたはＣＤである
ことを特徴とする請求項１に記載の再生装置。
【請求項３】
ディスク媒体に記録されている情報を再生する再生装置の再生方法において、
前記ディスク媒体にレーザを照射する照射ステップと、
前記レーザのフォーカスを制御するフォーカス制御ステップと、
前記レーザの前記ディスク媒体からの前記反射光に対応する信号を生成する生成ステップと、
前記生成ステップの処理で生成された前記信号に基づき、前記ディスク媒体の信号面を検出する検出ステップと、
前記検出ステップの処理での検出結果に基づいて、前記ディスク媒体の種類を判別する判別ステップと、
前記判別ステップの処理での判別結果に対応して、前記照射ステップの処理で照射されるレーザの種類を切り替える切替ステップとを含み、
前記フォーカス制御ステップの処理は、前記フォーカスの上昇過程において前記検出ステップの処理で前記ディスク媒体の信号面が検出された後、前記フォーカスを上限まで到達させることなく速やかに下降させ、この下降過程において前記検出ステップの処理で前記ディスク媒体の信号面が検出された後、前記信号面に対するフォーカスサーボを起動する
ことを特徴とする再生方法。
【請求項４】
ディスク媒体に記録されている情報を再生する再生装置を制御するプログラムであって、
前記レーザのフォーカスを制御するフォーカス制御ステップと、
前記レーザの前記ディスク媒体からの前記反射光に対応する信号を生成する生成ステップと、
前記生成ステップの処理で生成された前記信号に基づき、前記ディスク媒体の信号面を検出する検出ステップと、
前記検出ステップの処理での検出結果に基づいて、前記ディスク媒体の種類を判別する判別ステップと、
前記判別ステップの処理での判別結果に対応して、照射させるレーザの種類を切り替える切替ステップとを含み、
前記フォーカス制御ステップの処理は、前記フォーカスの上昇過程において前記検出ステップの処理で前記ディスク媒体の信号面が検出された後、前記フォーカスを上限まで到達させることなく速やかに下降させ、この下降過程において前記検出ステップの処理で前記ディスク媒体の信号面が検出された後、前記信号面に対するフォーカスサーボを起動する
ことを特徴とするコンピュータが読み取り可能なプログラムが記録されている記録媒体。
【請求項５】
ディスク媒体に記録されている情報を再生する再生装置を制御するコンピュータに、
前記レーザのフォーカスを制御するフォーカス制御ステップと、
前記レーザの前記ディスク媒体からの前記反射光に対応する信号を生成する生成ステップと、
前記生成ステップの処理で生成された前記信号に基づき、前記ディスク媒体の信号面を検出する検出ステップと、
前記検出ステップの処理での検出結果に基づいて、前記ディスク媒体の種類を判別する判別ステップと、
前記判別ステップの処理での判別結果に対応して、照射させるレーザの種類を切り替える切替ステップとを実行させ、
前記フォーカス制御ステップの処理は、前記フォーカスの上昇過程において前記検出ステップの処理で前記ディスク媒体の信号面が検出された後、前記フォーカスを上限まで到達させることなく速やかに下降させ、この下降過程において前記検出ステップの処理で前記ディスク媒体の信号面が検出された後、前記信号面に対するフォーカスサーボを起動する
ことを特徴とするプログラム。
【発明の詳細な説明】
【０００１】
【発明の属する技術分野】
本発明は、再生装置および方法、記録媒体、並びにプログラムに関し、特に、装着されたディスクの種類を判別して再生するまでの時間を短縮できるようにした再生装置および方法、記録媒体、並びにプログラムに関する。
【０００２】
【従来の技術】
従来、ＣＤ（Ｃｏｍｐａｃｔ　Ｄｉｓｃ）とＤＶＤ（Ｄｉｇｉｔａｌ　Ｖｅｒｓａｔｉｌｅ　Ｄｉｓｃ）の双方を再生可能なディスクプレーヤが存在する。従来のディスクプレーヤは、ＤＶＤ用レーザとＣＤ用レーザを出力できる２波長ピックアップを備えており、ディスクの再生に際し、まず始めに、装着されたディスクがＤＶＤであるかＣＤであるかをＤＶＤ用のレーザ光を用いて判別し、ディスクの信号面に対するフォーカスサーチを行った後、再生を開始している。
【０００３】
図１は、ＣＤとＤＶＤの断面図を示している。ＤＶＤとＣＤの判別は、図１Ａに示すように、ＣＤの信号面が、レーザが照射される表面側から最も遠い位置に存在していることに対して、図１Ｂに示すように、ＤＶＤの信号面が、ディスクの厚みの中央の位置に存在していることを利用して行われる。
【０００４】
従来のディスクプレーヤによる再生処理について、図２のフローチャート並びに図３および図４を参照して説明する。ただし、図３はＤＶＤに対する再生処理に対応し、図４はＣＤに対する再生処理に対応する。
【０００５】
ステップＳ１において、ディスクの装着が判定され、ディスクが装着されたと判定されるまで待機される。ディスクが装着されたと判定された場合、処理はステップＳ２に進む。ステップＳ２において、ＤＶＤ用レーザの出力がオンとされ、ステップＳ３において、フォーカスの上昇が最下限のイニシャル位置から所定の速度で開始される。
【０００６】
ステップＳ４において、ディスクの表面が検出されたか否かが判定され、ディスクの表面が検出されたと判定されるまで待機される。ディスクの表面が検出されたと判定された場合、処理はステップＳ５に進み、タイマによる計時が開始される。
【０００７】
ステップＳ６において、ディスクの信号面が検出されたか否かが判定され、ディスクの信号面が検出されたと判定されるまで待機される。ディスクの信号面が検出されたと判定された場合、処理はステップＳ７に進み、タイマによる計時が停止される。
【０００８】
なお、この段階においてもフォーカスの上昇は継続されている。ステップＳ８において、フォーカスが上限の位置に達したか否かが判定され、フォーカスが上限の位置に達したと判定されるまで待機される。フォーカスが上限の位置に達したと判定された場合、処理はステップＳ９に進む。
【０００９】
ステップＳ３乃至ステップＳ８の処理は、図３および図４における期間Ｔ１に実行される。
【００１０】
ステップＳ９において、フォーカスの下降が所定の速度で開始される。ステップＳ１０において、フォーカスがイニシャル位置に戻ったか否かが判定され、フォーカスがイニシャル位置に戻ったと判定されるまで待機される。フォーカスがイニシャル位置に戻ったと判定された場合、処理はステップＳ１１に進み、フォーカスの下降が停止される。ステップＳ１２において、ＤＶＤ用レーザの出力がオフとされる。
【００１１】
ステップＳ９乃至ステップＳ１２の処理は、図３および図４における期間Ｔ２に実行される。
【００１２】
ステップＳ１３において、ステップＳ５で計時が開始され、ステップＳ７で計時が停止されたタイマの計測時間、すなわち、図３および４に示すように、ディスクの表面が検出されてから信号面が検出されるまでの時間ｔが、所定の閾値よりも短いか否かが判定される。タイマの計測時間ｔが所定の閾値よりも短いと判定された場合、装着されたディスクはＤＶＤであると判断されて、処理はステップＳ１４に進み、ＤＶＤ用レーザの出力が再びオンとされる。
【００１３】
なお、ステップＳ１３において、タイマの計測時間ｔが所定の閾値よりも短くないと判定された場合、装着されたディスクはＣＤであると判断されて、処理はステップＳ１５に進み、ＣＤ用レーザの出力がオンとされる。
【００１４】
ステップＳ１６において、再び、フォーカスの上昇が最下限のイニシャル位置から所定の速度で開始され、ステップＳ１７において、フォーカスが上限の位置に達したと判定されるまで上昇が継続される。フォーカスが上限の位置に達したと判定された場合、処理はステップＳ１８に進む。
【００１５】
ステップＳ１６およびＳ１７の処理は、図３および図４における期間Ｔ３に実行される。
【００１６】
ステップＳ１８において、フォーカスの下降が所定の速度で開始される。ステップＳ１９において、ディスクの信号面が検出されたか否かが判定され、ディスクの信号面が検出されたと判定されるまで待機される。ディスクの信号面が検出されたと判定された場合、処理はステップＳ２０に進む。
【００１７】
ステップＳ１８およびＳ１９の処理は、図３および図４における期間Ｔ４に実行される。
【００１８】
この後、ステップＳ２０において、現在のフォーカス位置を基準としてフォーカスサーボがオンとされ、ステップＳ２１において、ＣＬＶサーボがオンとされ、ステップＳ２２において、ＴＲＫサーボがオンとされ、ステップＳ２３において、ＳＬＥＤサーボがオンとされて信号面に記録されている信号を読み出すことが可能となり、ステップＳ２４において、楽曲データ等を再生するためのインフォ情報（ＣＤの場合、ＴＯＣ情報）が読み出されて、これ以降、楽曲データ等の再生が開始される。
【００１９】
ステップＳ２０以降の処理は、図３および図４における期間Ｔ５に実行される。以上、従来のＤＶＤプレーヤによる再生処理の説明を終了する。
【００２０】
【発明が解決しようとする課題】
上述したように、従来のディスクプレーヤでは、ディスクが装着されてからフォーカスサーボ等がオンとされるまでに、フォーカスの上昇が２回、下降が２回行われているので、結果として、実際に音声や映像が出力されるまでに数秒を要することとなる。よって、フォーカスサーボ等がオンとされるまでに要する時間の短縮が望まれている。
【００２１】
また、従来のディスクプレーヤでは、フォーカスサーボ等がオンとされるまでに、装着されたディスクの種類に拘わらず、フォーカスが２回とも上限の位置まで上昇されているので、フォーカスが上限の位置まで上昇されたとき、２波長ピックアップが、例えば面ぶれが大きいディスクに接触して傷を付けてしまう事態が発生し得る課題があった。
【００２２】
本発明はこのような状況に鑑みてなされたものであり、ディスクが装着されてからフォーカスサーボ等がオンとされるまでの時間を従来よりも短縮できるようにすることを目的とする。
【００２３】
【課題を解決するための手段】
本発明の再生装置は、ディスク媒体にレーザを照射する照射手段と、レーザのフォーカスを制御するフォーカス制御手段と、レーザのディスク媒体からの反射光に対応する信号を生成する生成手段と、生成手段によって生成された信号に基づき、ディスク媒体の信号面を検出する検出手段と、検出手段の検出結果に基づいて、ディスク媒体の種類を判別する判別手段と、判別手段の判別結果に対応して、照射手段が照射するレーザの種類を切り替える切替手段とを含み、フォーカス制御手段は、フォーカスの上昇過程において検出手段によってディスク媒体の信号面が検出された後、フォーカスを上限まで到達させることなく速やかに下降させ、この下降過程において検出手段によってディスク媒体の信号面が検出された後、信号面に対するフォーカスサーボを起動することを特徴とする。
【００２４】
前記ディスク媒体は、ＤＶＤまたはＣＤであるようにすることができる。
【００２５】
本発明の再生方法は、ディスク媒体にレーザを照射する照射ステップと、レーザのフォーカスを制御するフォーカス制御ステップと、レーザのディスク媒体からの反射光に対応する信号を生成する生成ステップと、生成ステップの処理で生成された信号に基づき、ディスク媒体の信号面を検出する検出ステップと、検出ステップの処理での検出結果に基づいて、ディスク媒体の種類を判別する判別ステップと、判別ステップの処理での判別結果に対応して、照射ステップの処理で照射されるレーザの種類を切り替える切替ステップとを含み、フォーカス制御ステップの処理は、フォーカスの上昇過程において検出ステップの処理でディスク媒体の信号面が検出された後、フォーカスを上限まで到達させることなく速やかに下降させ、この下降過程において検出ステップの処理でディスク媒体の信号面が検出された後、信号面に対するフォーカスサーボを起動することを特徴とする。
【００２６】
本発明の記録媒体のプログラムは、レーザのフォーカスを制御するフォーカス制御ステップと、レーザのディスク媒体からの反射光に対応する信号を生成する生成ステップと、生成ステップの処理で生成された信号に基づき、ディスク媒体の信号面を検出する検出ステップと、検出ステップの処理での検出結果に基づいて、ディスク媒体の種類を判別する判別ステップと、判別ステップの処理での判別結果に対応して、照射させるレーザの種類を切り替える切替ステップとを含み、フォーカス制御ステップの処理は、フォーカスの上昇過程において検出ステップの処理でディスク媒体の信号面が検出された後、フォーカスを上限まで到達させることなく速やかに下降させ、この下降過程において検出ステップの処理でディスク媒体の信号面が検出された後、信号面に対するフォーカスサーボを起動することを特徴とする。
【００２７】
本発明のプログラムは、レーザのフォーカスを制御するフォーカス制御ステップと、レーザのディスク媒体からの反射光に対応する信号を生成する生成ステップと、生成ステップの処理で生成された信号に基づき、ディスク媒体の信号面を検出する検出ステップと、検出ステップの処理での検出結果に基づいて、ディスク媒体の種類を判別する判別ステップと、判別ステップの処理での判別結果に対応して、照射させるレーザの種類を切り替える切替ステップとをコンピュータに実行させ、フォーカス制御ステップの処理は、フォーカスの上昇過程において検出ステップの処理でディスク媒体の信号面が検出された後、フォーカスを上限まで到達させることなく速やかに下降させ、この下降過程において検出ステップの処理でディスク媒体の信号面が検出された後、信号面に対するフォーカスサーボを起動することを特徴とする。
【００２８】
本発明の再生装置および方法、並びにプログラムにおいては、フォーカスの上昇過程においてディスク媒体の信号面が検出された後、フォーカスが上限まで到達させることなく速やかに下降され、この下降過程においてディスク媒体の信号面が検出された後、信号面に対するフォーカスサーボが起動される。
【００２９】
【発明の実施の形態】
本発明を適用したマルチディスクプレーヤの構成例について、図５を参照して説明する。当該マルチディスクプレーヤは、ユーザからのコマンドに対応してマルチプレーヤ全体を制御する制御部１、制御部１からの制御に従ってメカユニット部１４およびＲＦ増幅部１９を制御するサーボＤＳＰ部６、装着されたディスク媒体１５を回転駆動してレーザを照射し、その反射光を電気信号に変換するメカユニット部１４、メカユニット部１４が出力する電気信号からＲＦ信号等を生成するＲＦ増幅部１９、ＲＦ信号を元にしてビデオ信号やオーディオ信号を復元するＡＶデータデコード部２１から構成される。
【００３０】
制御部１のＣＰＵ２は、ＲＯＭ３に記憶されている制御用プログラムを実行することにより、マルチプレーヤ全体を制御する。ＲＡＭ４は、ＣＰＵ２の作業領域として使用される。パラレルインタフェース（以下、ＰＩＯと記述する）５は、ＣＰＵ２と各部との間の制御信号を通信する。
【００３１】
サーボＤＳＰ部６のＤＳＰコア部７は、ＲＯＭ８に記憶されている制御用プログラムを実行することにより、ＰＩＯ９を介する制御部１からの制御信号を解析し、解析結果に対応して、ＰＤＭ１１にメカユニット部１４を制御させ、Ｉ／Ｏ１３を介してＲＦ増幅部１９を制御する。また、ＤＳＰコア部７は、ＲＦ増幅部１９からのフォーカス全加算信号ＰＩに基づき、ディスクの信号面を検出する（ＦＯＫ）。ＲＡＭ１０は、ＤＳＰコア部７の作業領域として使用される。ＰＤＭ１１は、ＤＳＰコア部７からの制御に従い、メカユニット１４のフォーカスサーボ、トラッキングサーボ、およびスレッドサーボを制御する。Ａ／Ｄ１２は、ＲＦ増幅部１９からのフォーカス全加算信号ＰＩ等をディジタル変換して所定の時間毎にＤＳＰコア部７に出力する。
【００３２】
メカユニット部１４には、ディスク媒体１５（ＤＶＤ、またはＣＤ）が装着される。スピンドルモータ１６は、ディスク媒体１５を回転駆動する。スレッドモータ１７は、２波長ピックアップ１８を平行に駆動する。２波長ピックアップ１８は、ＤＶＤ用レーザ（６５０ｎｍ）またはＣＤ用レーザ（７８０ｎｍ）をディスク媒体１５に照射し、その反射光を電気信号Ａ／Ｂ／Ｃ／Ｄ，Ｅ／Ｆに変換してＲＦ増幅部１９に出力する。
【００３３】
ＲＦ増幅部１９は、Ｉ／Ｏ２０を介するサーボＤＳＰ部６からの制御に従い、メカユニット部１４の２波長ピックアップ１８のレーザを点灯させる。また、ＲＦ増幅部１９は、メカユニット部１４が出力する電気信号Ａ／Ｂ／Ｃ／Ｄ，Ｅ／Ｆをデコードすることにより、表面−信号面検出信号ＭＩＲＲ、フォーカス全加算信号ＰＩ、およびＲＦ信号を生成し、表面−信号面検出信号ＭＩＲＲをＩ／Ｏ２０，１３を介してＤＳＰコア部７に出力し、フォーカス全加算信号ＰＩをＡ／Ｄ１２を介してＤＳＰコア部７に出力し、ＲＦ信号をＡＶデコード部２１に出力する。
【００３４】
ＡＶデータデコード部２１のＡＶデコーダ２２は、ＰＩＯ２３を介する制御部１からの制御信号に従い、ＲＦ増幅部１９から供給されるＲＦ信号をデコードすることにより、ビデオ信号およびオーディオ信号を生成する。また、ＡＶデコーダ２は、ＲＦ増幅部１９からのＲＦ信号の供給量に基づき、メカニック部１４のスピンドルモータ１６の回転を制御する。ＤＲＡＭ２４には、生成されたビデオ信号およびオーディオ信号が一時的に蓄積される。
【００３５】
次に、本発明を適用したマルチディスクプレーヤによる再生処理について、図６のフローチャート並びに図７および図８を参照して説明する。ただし、図７はＤＶＤに対する再生処理に対応し、図８はＣＤに対する再生処理に対応する。
【００３６】
ステップＳ５１において、制御部１は、メカユニット部１４にディスク媒体１５が装着されたか否かを判定し、ディスク媒体１５が装着されたと判定するまで待機する。ディスク媒体１５が装着されたと判定された場合、処理はステップＳ５２に進む。ステップＳ５２において、２波長ピックアップ１８は、ＲＦ増幅部１９の制御に従ってＤＶＤ用レーザの出力をオンとする。ステップＳ５３において、２波長ピックアップ１８は、ＤＳＰコア部７の制御に従い、最下限のイニシャル位置からフォーカスの上昇を所定の速度で開始する。
【００３７】
ステップＳ５４において、ＤＳＰコア部７は、ＲＦ増幅部２０から供給される表面−信号面検出信号ＭＩＲＲに基づき、ディスク媒体１５の表面が検出されたか否かを判定し、表面が検出されたと判定するまで待機する。この待機の間、フォーカスは継続して上昇される。その後、ディスク媒体１５の表面が検出されたと判定された場合、処理はステップＳ５５に進む。ステップＳ５５において、ＤＳＰコア部７は、内蔵するタイマの計時を開始する。
【００３８】
ステップＳ５６において、ＤＳＰコア部７は、ＲＦ増幅部２０から供給されるフォーカス全加算信号ＰＩに基づき、ディスク媒体１５の信号面が検出されたか否かを判定し、信号面が検出されたと判定するまで待機する。この待機の間、フォーカスは継続して上昇される。その後、ディスク媒体１５の信号面が検出されたと判定された場合、処理はステップＳ５７に進む。ステップＳ５７において、ＤＳＰコア部７は、内蔵するタイマの計時を停止する。
【００３９】
なお、この段階においてもフォーカスの上昇は継続されている。ステップＳ５８において、ＤＳＰコア部７は、ディスク媒体１５の信号面が検出されてから所定の時間が経過したか否かと、フォーカスが上限の位置に達したか否かを判定し、ディスク媒体１５の信号面が検出されてから所定の時間が経過したと判定するか、あるいはディスク媒体１５の信号面が検出されてから所定の時間は経過していないがフォーカスが上限の位置に達したと判定するまで待機する。ディスク媒体１５の信号面が検出されてから所定の時間が経過した、あるいはディスク媒体１５の信号面が検出されてから所定の時間は経過していないがフォーカスが上限の位置に達したと判定された場合、処理はステップＳ５９に進む。
【００４０】
ステップＳ５９において、２波長ピックアップ１８は、ＤＳＰコア部７の制御に従い、フォーカスの上昇を停止する。ステップＳ６０において、２波長ピックアップ１８は、ＲＦ増幅部１９の制御に従ってＤＶＤ用レーザの出力をオフとする。
【００４１】
ステップＳ５３乃至ステップＳ６０の処理は、図７および図８における期間Ｔ１に実行される。
【００４２】
ステップＳ６１において、ＤＳＰコア部７は、ステップＳ５５で計時が開始され、ステップＳ５７で計時が停止されたタイマの計測時間、すなわち、図７および８に示すように、ディスク媒体１５の表面が検出されてから信号面が検出されるまでの時間ｔが、所定の閾値よりも短いか否かが判定される。タイマの計測時間ｔが所定の閾値よりも短いと判定された場合、装着されたディスク媒体１５はＤＶＤであると判断されて、処理はステップＳ６２に進み、ＤＶＤ用レーザの出力が再びオンとされる。
【００４３】
なお、ステップＳ６１において、タイマの計測時間ｔが所定の閾値よりも短くないと判定された場合、装着されたディスク媒体１５はＣＤであると判断されて、処理はステップＳ６３に進み、ＣＤ用レーザの出力がオンとされる。
【００４４】
ステップＳ６４において、２波長ピックアップ１８は、ＤＳＰコア部７の制御に従い、フォーカスの下降を所定の速度で開始する。ステップＳ６５において、ＤＳＰコア部７は、ＲＦ増幅部２０から供給されるフォーカス全加算信号ＰＩに基づき、ディスク媒体１５の信号面が検出されたか否かを判定し、信号面が検出されたと判定するまで待機する。この待機の間、フォーカスは継続して下降され、ディスク媒体１５の信号面が検出されたと判定された場合、処理はステップＳ６６に進む。
【００４５】
ステップＳ６１およびＳ６５の処理は、図７および図８における期間Ｔ４に実行される。
【００４６】
この後、ＤＳＰコア部７は、ステップＳ６６において、現在のフォーカス位置を基準としてフォーカスサーボをオンとし、ステップＳ６７において、ＣＬＶサーボをオンとし、ステップＳ６８において、ＴＲＫサーボをオンとし、ステップＳ６９において、ＳＬＥＤサーボをオンとする。これにより、ディスク媒体１５の信号面に記録されている信号を読み出すことが可能となる。ステップＳ７０において、楽曲データ等を再生するためのインフォ／ＴＯＣ情報が読み出されて、これ以降、楽曲データ等の再生が開始される。
【００４７】
ステップＳ６６以降の処理は、図７および図８における期間Ｔ５に実行される。以上、本発明を適用したマルチディスクプレーヤによる再生処理の説明を終了する。
【００４８】
以上説明したように、本発明を適用したマルチディスクプレーヤによれば、図３および図４に示した期間Ｔ２およびＴ３における処理が不要となるので、フォーカスサーボ等がオンとされるまでの時間を従来よりもその分だけ、具体的には、約１乃至２秒間程度短縮することができる。
【００４９】
また、本発明を適用したマルチディスクプレーヤは、通常、フォーカスが上限の位置まで上昇されることがないので、例えば、面ぶれが大きいディスクに２波長ピックアップ１８が接触して傷を付けてしまう事態の発生を抑止することができる。
【００５０】
なお、本発明を適用したマルチディスクプレーヤでは、装着された２層式ＤＶＤを単層式ＤＶＤと誤って判定してしまう可能性が考えられる。しかしながら、ディスクのインフォ情報を読み込むことによって２層式ＤＶＤであると判定することができるので問題は生じない。
【００５１】
また、本発明は、ＳＡＣＤ（Ｓｕｐｅｒ　Ａｕｄｉｏ　ＣＤ）も再生可能なマルチディスクプレーヤに適用することができる。ただし、そのようなマルチディスクプレーヤでは、図９Ｂに示すようなハイブリッドのＳＡＣＤを、最初のディスク判定において単層式のＳＡＣＤと判定してしまう可能性がある。しかしながら、この場合においても、その後、ＳＡＣＤ層のＭＴＯＣを読み込むことによってハイブリッドのＳＡＣＤであると判定することができるので問題は生じない。
【００５２】
さらに、本発明は、異なる種類のディスク媒体に記録されている情報を再生するマルチディスクプレーヤだけでなく、ディスク媒体に対して情報を記録する機能も備えているマルチディスクレコーダプレーヤなどに適用することが可能である。
【００５３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５４】
この記録媒体は、コンピュータとは別に、ユーザにプログラムを提供するために配布される、プログラムが記録されている磁気ディスク（フレキシブルディスクを含む）、光ディスク（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク（ＭＤ（Ｍｉｎｉ　Ｄｉｓｃ）を含む）、もしくは半導体メモリなどよりなるパッケージメディアにより構成されるだけでなく、コンピュータに予め組み込まれた状態でユーザに提供される、プログラムが記録されているＲＯＭやハードディスクなどで構成される。
【００５５】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００５６】
【発明の効果】
以上のように、本発明によれば、ディスクが装着されてからフォーカスサーボ等がオンとされるまでの時間を従来よりも短縮することが可能となる。
【図面の簡単な説明】
【図１】ＣＤとＤＶＤの断面を示す図である。
【図２】従来のディスクプレーヤによる再生処理を説明するフローチャートである。
【図３】従来のディスクプレーヤによるＤＶＤに対する再生処理を説明するための図である。
【図４】従来のディスクプレーヤによるＣＤに対する再生処理を説明するための図である。
【図５】本発明の一実施の形態であるマルチディスクプレーヤの構成例を示すブロック図である。
【図６】本発明のマルチディスクプレーヤによる再生処理を説明するフローチャートである。
【図７】本発明のマルチディスクプレーヤによるＤＶＤに対する再生処理を説明するための図である。
【図８】本発明のマルチディスクプレーヤによるＣＤに対する再生処理を説明するための図である。
【図９】ＳＡＣＤの断面を示す図である。
【符号の説明】
１　制御部，　２　ＣＰＵ，　３　ＲＯＭ，　４　ＲＡＭ，　７　ＤＳＰコア部，　８　ＲＯＭ，　１４　メカユニット部，　１９　ＲＦ増幅部，　２１　ＡＶデータデコード部
【図１】
2004039094.tif 000003
【図２】
2004039094.tif 000004
【図３】
2004039094.tif 000005
【図４】
2004039094.tif 000006
【図５】
2004039094.tif 000007
【図６】
2004039094.tif 000008
【図７】
2004039094.tif 000009
【図８】
2004039094.tif 000010
【図９】
2004039094.tif 000011